(57)【要約】【課題】  本発明は、被包装物を包装フィルムに包んでなる包装物に対し、当該被包装物を殆ど傷つけることなく、簡便且つ迅速に包装フィルムを切り取って当該包装物から包装フィルムを剥がし取ることができる包装フィルムオープナーを提供することを目的とする。【解決手段】  被包装物を包装フィルムで包んでなる包装物の包装フィルムを剥がす際に用いられる包装フィルムオープナーであって、該オープナーにおけるオープナー本体の少なくとも１箇所に作用部が設けられてなり、該作用部が、前記包装物に接近ないし接触させるための基台部、前記包装物の縁に沿わすための案内部及び前記包装フィルムを切るための切断部からなることを特徴とする包装フィルムオープナー。【選択図】  図４
2005280737.tif 000002
【特許請求の範囲】
【請求項１】
被包装物を包装フィルムで包んでなる包装物の包装フィルムを剥がす際に用いられる包装フィルムオープナーであって、該オープナーにおけるオープナー本体の少なくとも１箇所に作用部が設けられてなり、該作用部が、前記包装物に接近ないし接触させるための基台部、前記包装物の縁に沿わすための案内部及び前記包装フィルムを切るための切断部からなることを特徴とする包装フィルムオープナー。
【請求項２】
更に、切断部の露出を調整するための刃先調整部が、切断部に近接して設けられてなる請求項１に記載の包装フィルムオープナー。
【請求項３】
刃先調整部が、弾性力によって基台部外側に向かって付勢されてなり、基台部を包装物に接近ないし接触させる際の押付力によって該刃先調整部が基台部方向に後退して切断部の先端を露出させる請求項２に記載の包装フィルムオープナー。  
【請求項４】
案内部が、基台部の片側に設けられてなる請求項１ないし３のいずれか１項に記載の包装フィルムオープナー。
【請求項５】
案内部が、基台部の両側に設けられてなる請求項１ないし３のいずれか１項に記載の包装フィルムオープナー。
【請求項６】
基台部の両側に設けられてなる案内部の間隔が、可変となるように構成されてなる請求項５に記載の包装フィルムオープナー。
【請求項７】
案内部の端部には、基台部に向かって包装物を導き入れるための導入部が設けられてなる請求項１ないし６のいずれか１項に記載の包装フィルムオープナー。
【請求項８】
作用部が、オープナー本体の複数箇所に設けられてなる請求項１ないし７のいずれか１項に記載の包装フィルムオープナー。
【発明の詳細な説明】
【技術分野】
【０００１】
本発明は、ＣＤ、ＤＶＤ、ＭＤ、ＦＤ、カセットテープ、ビデオテープ等の記録媒体や菓子類、食品類、化粧品類及び医薬品類等、又はこれら商品のパッケージなどの被包装物を包装する包装フィルムを剥がす際に用いられる包装フィルムオープナーに関する。
【背景技術】
【０００２】
最近、市場を流通する多くの商品、例えば、ＣＤ、ＤＶＤ、ＭＤ、ＦＤ、カセットテープ、ビデオテープ等の記録媒体や菓子類、食品類、化粧品類及び医薬品類等に対しては、流通時に傷が発生することを防止したり、包装内の商品の密封性を確保して当該商品の安全性を担保したりするために、主としてプラスチックフィルム等の透明な包装フィルムを当該商品に直接施したり、或いは当該商品のパッケージ（ケースや箱等）の外側に施したりすることが一般的である。
【０００３】
そして、この包装フィルムは、普通、当該商品を購入した消費者が開封することを前提とするものであるが、包装フィルム自体にある程度の強度があり、平滑性がある上、当該商品ないしは商品パッケージに密着しているため、人の手指等で開封することは困難である。
【０００４】
そのため、人の手指等によって包装フィルムを開封することを簡便にするために、包装フィルムの一部に開封用のテープを溶着し、この開封用テープを引くことによって包装フィルムを開封するように構成したものが一般的に普及している。
【０００５】
しかしながら、このような包装フィルムの開封を簡便にするような工夫がなされていても、一般的に包装フィルムは透明なプラスチックフィルム等で形成されているため、その開封位置を確認できずに開封に手間取ってしまうことが度々ある。
【０００６】
又、主として食品等に施されるシュリンク包装と称される包装では、安全性その他の見地から、開封用テープ等の開封を簡便にする手段を設けていないものも多い。
【０００７】
従って、このような包装フィルムの開封については、カッターナイフ等の切断手段を用いて包装フィルムを切り裂くことになるが、カッターナイフ等の切断手段を用いて包装フィルムを切り裂く場合においては、包装フィルム内の商品や商品パッケージを傷つけないように十分に注意する必要があり、やはり開封に手間取るといった問題があった。
【０００８】
このような問題に鑑み、即ち、キャラメル包装、シュリンク包装その他種々の形態の包装をより簡便に開封できる包装フィルム切開器具を提供することを目的として、被包装物に密着若しくは略密着して該包装物を包装しているフィルムを切開して脱離させるためのものであって、基部と、前記基部の側縁に臨み被包装物とフィルムとの間に差し入れることができる突出部と、前記基部と前記突出部とがなす間隙に設けたフィルムを切開する刃とを具備する包装フィルムカッターが開発されている（例えば、特許文献１。）。
【０００９】
【特許文献１】特開２００４−３５０８７号公報
【発明の開示】
【発明が解決しようとする課題】
【００１０】
しかしながら、特許文献１に記載の包装フィルムカッターは、包装フィルムを切断する前に、包装フィルムの切開対象部位と被包装物との間に突出部を差し入れることを前提としており、しかも前記切開対象部位は、実質的に包装フィルムの折り畳み溶着部分に限定されるため、切開できる位置が限定されるといった問題がある。
【００１１】
又、前述のように、一般的に包装フィルムは透明なプラスチックフィルム等で形成されているため、やはり包装フィルムの折り畳み溶着部分を確認できずに開封に手間取ってしまうといった問題もある。
【００１２】
そこで、本発明者は、このような問題を解決すべく鋭意検討を重ねた結果、被包装物を包装フィルムで包んでなる包装物の包装フィルムを剥がす際に用いられる包装フィルムオープナーであって、該オープナーにおけるオープナー本体の少なくとも１箇所に作用部が設けられてなり、該作用部が、前記包装物に接近ないし接触させるための基台部、前記包装物の縁に沿わすための案内部及び前記包装フィルムを切るための切断部からなることを特徴とする包装フィルムオープナーを完成するに至ったのである。
【００１３】
即ち、本発明者は、オープナー本体の少なくとも１箇所に作用部を設け、該作用部における案内部を包装物の縁に沿わせつつ、該作用部における基台部を包装物に接近ないし接触させることにより、該作用部に配した切断部を包装フィルムに接触させて包装フィルムを切断すれば、切断部の先端が包装フィルムに接触している程度及び強度（あたり）が使用者に伝わり、包装フィルム内の被包装物を殆ど傷つけることなく、簡便且つ迅速に包装フィルムを切って、包装物から包装フィルムを剥がし取ることができるとの知見を得たのである。
【００１４】
又、本発明者は、本発明の包装フィルムオープナーにおいて、更に、切断部の露出を調整するための刃先調整部を切断部に近接して設けることによって、使用の安全性を向上させることができる上、一層、切断部の先端が包装フィルムに接触している程度及び強度（あたり）を使用者に鋭敏に伝えることができるとの知見を得たのである。
【００１５】
本発明は、上記知見に基づき完成されたものであり、被包装物を包装フィルムに包んでなる包装物に対し、当該被包装物を殆ど傷つけることなく、簡便且つ迅速に包装フィルムを切り取って当該包装物から包装フィルムを剥がし取ることができる包装フィルムオープナーを提供することを目的とする。
【課題を解決するための手段】
【００１６】
以上の課題を解決する手段である本発明の包装フィルムオープナーは、被包装物を包装フィルムで包んでなる包装物の包装フィルムを剥がす際に用いられる包装フィルムオープナーであって、該オープナーにおけるオープナー本体の少なくとも１箇所に作用部が設けられてなり、該作用部が、前記包装物に接近ないし接触させるための基台部、前記包装物の縁に沿わすための案内部及び前記包装フィルムを切るための切断部からなることを特徴とする。
以下、本発明の包装フィルムオープナーについて詳細に説明する。
【００１７】
本発明の包装フィルムオープナーが使用される「被包装物を包装フィルムで包んでなる包装物」としては、薄く柔軟性のあるフィルムで包まれた一定の形状を有する物品であれば、特に限定されるものではないが、具体的に例えば、「被包装物」としては、ＣＤ、ＤＶＤ、ＭＤ、ＦＤ、カセットテープ、ビデオテープ等の記録媒体や菓子類、食品類、化粧品類及び医薬品類等の商品、或いはこれらの商品を梱包したパッケージ（ケースや箱等）等を挙げることができ、包装フィルムとしては、プラスチックフィルム、セロファン及び紙等の薄く柔軟性のあるフィルムを挙げることができる。
【００１８】
又、これらの被包装物を包装する形態も特に限定されるものではなく、キャラメル包装、シュリンク包装その他種々の包装形態であっても構わない。
【００１９】
そして、本発明の包装フィルムオープナーは、このような被包装物を包装フィルムで包んでなる包装物の包装フィルムを剥がす際に用いられるものであり、該オープナーにおけるオープナー本体の少なくとも１箇所に作用部が設けられてなるものである。
【００２０】
ここで、「オープナー本体」とは、本発明の包装フィルムオープナーの土台となる部分、即ち、後述する作用部を設けるための単なる土台であり、その形状や材質については特に限定されるものではなく、一般的には携帯に便利な大きさやサイズにすることが好ましいが、最近では、ＣＤ、ＤＶＤ、ＭＤ、ＦＤ、カセットテープ、ビデオテープ等の記録媒体（或いはそのパッケージ）に対して包装フィルムが施される場合が多く、従って、本発明の包装フィルムオープナーが、このような記録媒体を使用する装置、即ち、ＣＤプレーヤー、ＤＶＤプレーヤー、ＭＤプレーヤー、パソコン、カセットデッキ及びビデオデッキ等のいわゆる「ハード（電子機器）」の一部に備えられていたり、本発明の包装フィルムオープナーにおける作用部が、これらの電子機器をオープナー本体として備えられていたりすると、前記記録媒体を購入後、包装フィルムを剥がす際にいちいち本発明の包装フィルムオープナーを探したりする手間が無くなり、現実的な使用の利便性の観点から好ましい。
【００２１】
一方、「作用部」とは、本発明の包装フィルムオープナーの本質的部分、即ち、包装物の包装フィルムを切るための作用を担う部分であり、該作用部は、「基台部」、「案内部」及び「切断部」からなる。
【００２２】
前記「基台部」は、本発明の包装フィルムオープナーを包装物に接近ないし接触させるためのものであり、包装物の形状に沿って、包装物表面を滑るように移動できる円滑な表面性状及び形状を有するものであれば、その材質については特に限定されるものではなく、対象となる包装物の形状に応じて適宜決定すべきものであるが、一般的な商品が主として紙箱やプラスチックケース等の箱型のパッケージに封入されていることから、表面性状が円滑なプラスチック等を用い、包装物に接近ないし接触する部分がほぼ平坦な形状のものを用いることが好ましい。
【００２３】
前記「案内部」は、包装物の縁に沿わすことによって、本発明の包装フィルムオープナーの使用中に、該オープナーが包装物から外れ難くするためのものであり、包装物の縁（エッジ）に沿って、当該縁を滑るように移動できる円滑な表面性状及び形状を有するものであれば、その材質については特に限定されるものではなく、対象となる包装物の形状に応じて適宜決定すべきものであるが、上述と同様に、一般的な商品が主として紙箱やプラスチックケース等の箱型のパッケージに封入されていることから、表面性状が円滑なプラスチック等を用い、包装物の縁に沿いやすいように、包装物の縁に接触する部分をほぼ平坦な形状とし、前記基台部と案内部がほぼ直角（９０±１０度程度）を成すように構成することが好ましい。
【００２４】
前記「切断部」は、包装フィルムを切るためのものであり、包装フィルムを切ることができる程度の鋭利さを有するものであれば特に限定されるものではなく、薄刃状（カミソリ状）、丸刃状或いは針状のもの等、いずれを用いても良く、又、その材質については、包装フィルムを切ることができる程度の物理的強度を有するものであれば特に限定されるものではないが、一般的には、金属、セラミック及びプラスチック等の素材を適宜選択して用いることができる。
【００２５】
なお、前記切断部は、包装フィルムを切ることができるのであれば、オープナー本体、基台部或いは案内部のいずれの部位に設けても良く、又、一箇所に限らず複数箇所に設けても良いが、安全性及び取扱性の観点から、基台部に設けることが好ましく、さらに具体的には、切断部における刃先（先端）を基台部表面から０．１〜２ｍｍ程度露出させて設けることが好ましい。
【００２６】
上述のように、本発明の包装フィルムオープナーは、オープナー本体及び作用部（基台部、案内部及び切断部）からなり、即ち、前記案内部を包装物の縁に沿わせつつ、前記基台部を包装物に接近ないし接触させて前記切断部を包装フィルムに接触させることによって包装フィルムを切るのであるが、当該オープナーを包装物に対して過剰に押し付けると、包装フィルム内の被包装物を傷つける虞がある。
【００２７】
しかしながら、本発明の包装フィルムオープナーにおいては、前記切断部の先端のみが包装物に接触するのではなく、少なくとも前記基台部の一部及び／又は前記案内部の一部も同時に包装物に接触するため、前記切断部の先端が包装物（包装フィルム）に接触している程度及び強度（あたり）が使用者に伝わりやすくなり、前記切断部の先端を包装物に過剰に押し付けることを回避することができるのであり、これより包装フィルム内の被包装物を殆ど傷つけることなく、簡便且つ迅速に包装フィルムを切って、包装物から包装フィルムを剥がし取ることができるのである。
【００２８】
ところで、本発明においては、更に、切断部の露出を調整するための「刃先調整部」を切断部に近接して設けることが好ましい。
【００２９】
即ち、切断部に近接して、該切断部の露出を調整するための刃先調整部を設けることにより、包装物における被包装物の強度及び包装フィルムの厚み等に応じて切断部の刃先の露出を調整することができるのであり、使用に際して、切断部の先端、前記基台部の一部及び／又は前記案内部の一部に加えて、刃先調整部も同時に包装物に接触するため、一層、切断部の先端が包装フィルムに接触している程度及び強度（あたり）を使用者に鋭敏に伝えることができるのである。
【００３０】
なお、この刃先調整部としては、包装物の表面に沿って、当該表面を滑るように移動できる円滑な表面性状及び形状を有し、本発明の包装フィルムオープナーを包装物に押し付けた際に破損しない程度の物理的強度を有するものであれば、その形状や材質については特に限定されるものではなく、又、本発明の包装フィルムオープナーに恒久的に取り付けられるものに限定されるものではなく、例えば、各種高さを揃えたパーツとして適宜取り外し可能なものとしても良いのである。
【００３１】
しかしながら、本発明の包装フィルムオープナーにおける刃先調整部としては、当該刃先調整部が、弾性力によって基台部外側に向かって付勢されてなり、基台部（包装フィルムオープナー）を物品に接触させる際の押付力によって、該刃先調整部が基台部方向に後退して切断部の先端を露出させる構造のものを用いるのが特に好ましい。
【００３２】
即ち、包装物における被包装物の強度及び包装フィルムの厚み等に応じて切断部の刃先の露出を予め調整したり、刃先調整部を取り替えたりする作業は非常に面倒であり、迅速な開封の点において多少問題がある。
【００３３】
このため、本発明においては、弾性力によって基台部外側に向かって付勢されるように構成した刃先調整部を設けることが好ましく、このように構成すると、使用の際、基台部（包装フィルムオープナー）を物品に接触させる際の押付力によって該刃先調整部が基台部方向に後退させて切断部の先端を露出させることができるのであり、この場合においても、切断部の先端、前記基台部の一部及び／又は前記案内部の一部に加えて、刃先調整部も同時に包装物に接触（弾性支持）するため、切断部の先端が包装フィルムに接触している程度及び強度（あたり）を使用者により一層鋭敏に伝えることができる上、未使用時においては切断部の刃先が刃先調整部に隠れるため、安全性も向上させることができるのである。
【００３４】
なお、前記弾性力を得る手段としては、特に限定されるものではないが、具体的に例えば、プラスチックや金属等の有する弾性力を利用したり、バネ等の線形弾性体を用いたり、或いはゴムや高分子材料等の非線形弾性体を用いて弾性力を付与する手段等を挙げることができる。
【００３５】
ところで、本発明の包装フィルムオープナーにおいて、前記案内部を前記基台部の片側に設けた場合、包装物の幅（嵩）にかかわらず使用することができる利点がある反面、切断部が露出するため安全性の点で問題がある。
【００３６】
他方、本発明の包装フィルムオープナーにおいて、前記案内部を前記基台部の両側に設けた場合、切断部の露出を制限することができる利点がある反面、各案内部間の間隔に応じた包装物にしか使用ができなくなるといった問題がある。
【００３７】
従って、前記案内部を前記基台部の片側に設けるか両側に設けるかは、使用者の都合に応じて適宜選択すればよいのであり、一概にどちらが優れていると結論付けることはできない。
【００３８】
そこで、本発明においては、前記案内部を前記基台部の両側に設けると共に、各案内部間の間隔が可変となるように構成することが好ましく、このように構成することにより、本発明の包装フィルムオープナーを包装物の幅（嵩）にかかわらず使用することができる上、安全性も向上させることができるのである。
【００３９】
なお、各案内部間の間隔を可変とする手段としては、特に限定されるものではないが、具体的に例えば、前記基台部の両側に設けられた案内部の一方又は両方を基台部に対して幅方向にスライドするように組み付けたり、案内部の一方又は両方を弾性体を介して基台部に取り付けたり、案内部の一方又は両方の一部ないし全部を弾性変形できる素材で形成する手段等を挙げることができる。
【００４０】
ここで、前記案内部を前記基台部の両側に設けた包装フィルムオープナーにおいては、使用に際して、包装物を各案内部間の狭間に挿入する必要があるが、包装物が案内部の端部にぶつかったりして、包装物の速やかな挿入が妨げられる場合がある。
【００４１】
そこで、本発明においては、案内部の端部に、基台部に向かって包装物を導き入れるための導入部を設けることが好ましく、このように構成することによって、使用に際して、包装物を各案内部間の狭間に速やかに挿入することができるようになり、より一層簡便且つ迅速な開封が可能になるのである。
【００４２】
この導入部としては、案内部の少なくとも一方の端部に設けられ、基台部に向かって包装物を導き入れる作用を有するものであれば、特に限定されるものではないが、一般的には、案内部の端部から連続して設けられ、案内部から徐々に外側に広がるような形状、即ち、案内部の端部が裾広がりになるような形状のものとすることが好ましい。
【００４３】
なお、本発明においては、前記案内部を前記基台部の片側に設けた包装フィルムオープナーに対しても、この導入部を設けることが好ましく、この場合においても、より一層簡便且つ迅速な開封が可能になるのである。
【００４４】
本発明の包装フィルムオープナーは、オープナー本体及び作用部（基台部、案内部及び切断部）からなるものであるが、必ずしもオープナー本体に対し、作用部を一箇所のみ設けるものに限られないのであり、オープナー本体の複数箇所に作用部を設けても良いのである。
【００４５】
即ち、オープナー本体の複数箇所に、案内部間の間隔がそれぞれ異なる作用部や切断部の露出がそれぞれ異なる作用部、或いは案内部が基台部の片側に設けられた作用部や両側に設けられた作用部をそれぞれオープナー本体の適宜箇所に配置することにより、多種多様の包装物に対応することができるようになるのである。
【発明の効果】
【００４６】
本発明は、被包装物を包装フィルムで包んでなる包装物の包装フィルムを剥がす際に用いられる包装フィルムオープナーであって、該オープナーにおけるオープナー本体の少なくとも１箇所に作用部が設けられてなり、該作用部が、前記包装物に接近ないし接触させるための基台部、前記包装物の縁に沿わすための案内部及び前記包装フィルムを切るための切断部からなることを特徴とする包装フィルムオープナーである。
【００４７】
即ち、本発明は、オープナー本体の少なくとも１箇所に作用部を設け、該作用部における案内部を包装物の縁に沿わせつつ、該作用部における基台部を包装物に接近ないし接触させることにより、該作用部に配した切断部を包装フィルムに接触させて包装フィルムを切断すれば、切断部の先端が包装フィルムに接触している程度及び強度（あたり）が使用者に伝わり、包装フィルム内の被包装物を殆ど傷つけることなく、簡便且つ迅速に包装フィルムを切って、包装物から包装フィルムを剥がし取ることができるのである。
【００４８】
又、本発明の包装フィルムオープナーにおいて、更に、切断部の露出を調整するための刃先調整部を切断部に近接して設けたものにあっては、使用の安全性を向上させることができる上、一層、切断部の先端が包装フィルムに接触している程度及び強度（あたり）を使用者に鋭敏に伝えることができるのである。
【発明を実施するための最良の形態】
【００４９】
以下、本発明の実施例を説明するが、本発明はこの実施例に限定されるものではない。
【実施例１】
【００５０】
図１は、本実施例に係る包装フィルムオープナー１を示す分解斜視図であり、図２は、当該オープナーの使用状態を示す斜視図、図３は、当該オープナーの使用状態を示す断面図である。
【００５１】
当該オープナー１は、オープナー本体２及び作用部３とからなり、前記作用部３は、基台部３１、案内部３２（３２ａ、３２ｂ）及び切断部３３からなる。
【００５２】
図２の斜視図に示すように、基台部３１は、包装フィルムオープナー１を包装物４に接近ないし接触させるためのものであり、案内部３２は、包装物４の縁に沿わすことによって、包装フィルムオープナー１の使用中に、該オープナー１が包装物４から外れないようするためのものである。
【００５３】
そして、図３の断面図に示すように、この包装フィルムオープナー１は、案内部３２を包装物４の縁に沿わせつつ、基台部３１を包装物４に接近ないし接触させて切断部３３を包装フィルム４１に接触させることによって包装フィルム４１を切るのであるが、切断部３３の先端のみが包装物４に接触するのではなく、少なくとも基台部３１の一部及び／又は案内部３２の一部も同時に包装物４に接触するため、切断部３３の先端が包装物４に接触している程度及び強度（あたり）が使用者に伝わりやすくなり、切断部３３の先端を包装物４に過剰に押し付けることを回避することができるのであり、これより包装フィルム４１内の被包装物４２を殆ど傷つけることなく、簡便且つ迅速に包装フィルム４１を切って、包装物４から包装フィルム４１を剥がし取ることができるのである。
【実施例２】
【００５４】
図４は、本実施例に係る包装フィルムオープナー１を示す分解斜視図であり、図５は、当該オープナー１の使用状態を示す断面図である。
【００５５】
当該オープナー１は、オープナー本体２及び作用部３とからなり、前記作用部３は、基台部３１、案内部３２（３２ａ、３２ｂ）、切断部３３及び刃先調整部３４からなる。
【００５６】
即ち、本実施例に係る包装フィルムオープナー１は、前記実施例１の包装フィルムオープナーに対して、更に、切断部３３の露出を調整するための刃先調整部３４を切断部３３に近接して設けたものである。
【００５７】
この刃先調整部３４は、弾性力によって基台部３１の外側に向かって付勢されるように構成してなり、即ち、図５の断面図に示すように、使用の際、基台部３１を包装物４に接触させる際の押付力によって、刃先調整部３４が基台部３１方向に後退して、切断部３３の先端を露出させることができるように構成してなるものであり、これより、切断部３３の先端、基台部３１の一部及び／又は案内部３２の一部に加えて、刃先調整部３４も同時に包装物４に接触（弾性支持）するため、切断部３３の先端が包装フィルム４１に接触している程度及び強度（あたり）をより一層使用者に鋭敏に伝えることができる上、未使用時においては切断部３３の刃先が刃先調整部３４に隠れるため、安全性も向上させることができるのである。
【実施例３】
【００５８】
図６は、本実施例に係る包装フィルムオープナー１を示す分解斜視図であり、図７は、当該オープナー１の使用状態を示す斜視図である。
【００５９】
当該オープナー１は、オープナー本体２及び作用部３とからなり、前記作用部３は、基台部３１、案内部３２（３２ａ、３２ｂ）、切断部３３及び刃先調整部３４からなる。
【００６０】
そして、当該オープナー１における案内部３２は、各案内部（３２ａ、３２ｂ）間の間隔が可変となるように、弾性体３６を介して基台３１の幅方向にスライド可能となるように構成されており、しかも、案内部３２の端部には、基台部３１に向かって包装物４を導き入れるための導入部３５（３５ａ、３５ｂ）が設けられている。
【００６１】
即ち、本実施例に係る包装フィルムオープナー１は、前記実施例２の包装フィルムオープナーに対して、更に、各案内部間（３２ａ、３２ｂ）の間隔が可変となるように構成されなり、しかも案内部３２の端部には、基台部３１に向かって物品を導き入れるための導入部３５（３５ａ、３５ｂ）が設けられているものであり、これより、図７の斜視図に示すように、包装物４の幅（嵩）に応じて各案内部間（３２ａ、３２ｂ）の間隔を変えることができることから、包装フィルムオープナー１を包装物４の幅（嵩）にかかわらず使用することができる上、導入部３５の働きにより、使用に際して包装物４を各案内部間（３２ａ、３２ｂ）の狭間に速やかに挿入することができるようになり、より一層簡便且つ迅速な開封が可能になるのである
【実施例４】
【００６２】
図８は、本実施例に係る包装フィルムオープナー１を示す斜視図である。
【００６３】
当該オープナー１は、オープナー本体２及び複数（２つ）の作用部３とからなり、前記作用部３は、基台部３１、案内部３２（３２ａ、３２ｂ）、切断部３３及び刃先調整部３４からなる。
【００６４】
即ち、本実施例に係る包装フィルムオープナー１は、オープナー本体２の複数箇所（２箇所）に作用部３を設けてなるものであり、このように構成することにより、幅（嵩）の異なる包装物に対応することができるようになるのである。
【実施例５】
【００６５】
図９は、本実施例に係る包装フィルムオープナー１の使用状態を示す斜視図である。
【００６６】
当該オープナー１は、ＣＤプレーヤー、ＤＶＤプレーヤー、ＭＤプレーヤー、パソコン、カセットデッキ及びビデオデッキ等のいわゆる「ハード（電子機器）」の一部に備えられてなるものであり、即ち、当該電子機器をオープナー本体２とするものであり、このように構成することにより、ＣＤ、ＤＶＤ、ＭＤ、ＦＤ、カセットテープ、ビデオテープ等の記録媒体４を購入後、包装フィルムを剥がす際にいちいち包装フィルムオープナー１を探したりする手間が無くなり、現実的な使用の利便性が向上するのである。
【図面の簡単な説明】
【００６７】
【図１】図１は、実施例１に係る本発明の包装フィルムオープナーを示す分解斜視図である。
【図２】図２は、実施例１に係る本発明の包装フィルムオープナーの使用状態を示す斜視図である。
【図３】図３は、実施例１に係る本発明の包装フィルムオープナーの使用状態を示す断面図である。
【図４】図４は、実施例２に係る本発明の包装フィルムオープナーを示す分解斜視図である。
【図５】図５は、実施例２に係る本発明の包装フィルムオープナーの使用状態を示す断面図である。
【図６】図６は、実施例３に係る本発明の包装フィルムオープナーを示す分解斜視図である。
【図７】図7は、実施例３に係る本発明の包装フィルムオープナーの使用状態を示す斜視図である。
【図８】図８は、実施例４に係る本発明の包装フィルムオープナーを示す斜視図である。
【図９】図９は、実施例５に係る本発明の包装フィルムオープナーの使用状態を示す斜視図である。
【符号の説明】
【００６８】
１  包装フィルムオープナー
２  オープナー本体
３  作用部
３１  基台部
３２  案内部
３３  切断部
３４  刃先調整部
３５  導入部
４  包装物
【図１】
2005280737.tif 000003
【図２】
2005280737.tif 000004
【図３】
2005280737.tif 000005
【図４】
2005280737.tif 000006
【図５】
2005280737.tif 000007
【図６】
2005280737.tif 000008
【図７】
2005280737.tif 000009
【図８】
2005280737.tif 000010
【図９】
2005280737.tif 000011